(57)【要約】【課題】室外機から放出される熱の影響を受けることなく、熱効率を向上させて省電力化を図ることができる空調機における温度調節装置及び空調機を提供する。【解決手段】空調機は、建造物の室内に設置される室内機と、建造物の室外に設置される室外機４を備えている。室外機４は、一の側面Ａに空気を吸い込むための吸気口８ａと、一の側面Ａとは異なる他の側面に室外機４から取り込んだ熱を含む空気を排出する排気口が形成された筐体８を有している。空調機には、吸気口８ａに吸い込まれる空気の温度を調節する温度調節装置１４が取り付けられている。この温度調節装置１４は、無数の網目を有し吸気口８ａと排気口８ｂのうと吸気口８ａを覆うネット１６（網状部材）と、ネット１６が取り付けられるフレーム部材１５と、を含む。【選択図】図４
0003201141.tif 000002
【実用新案登録請求の範囲】
【請求項１】
建造物の室内に設置され冷媒の気化熱によって生成した冷気を前記室内に供給する室内機と、前記建造物の室外に設置され前記冷媒の凝縮を行う室外機とを備え、前記室外機は、前記一の側面に空気を吸い込むための吸気口と、前記一の側面とは異なる他の側面に前記室内から取り込んだ熱を含む空気を排出する排気口が形成された筐体を有する空調装置の前記吸気口に吸い込まれる空気の温度を調節する前記空調装置における温度調節装置であって、
無数の網目を有し前記吸気口と前記排気口のうち前記吸気口を覆う網状部材と、前記網状部材が取り付けられるフレーム部材と、を含むことを特徴とする空調機における温度調節装置。
【請求項２】
前記筐体の前記一の側面と前記網状部材によって囲まれた空間を介して前記吸気口に空気が吸い込まれることを特徴とする請求項１記載の空調機における温度調節装置。
【請求項３】
前記筐体を下方から支持する支持ベースに前記フレーム部材を固定するための固定手段をさらに備えていることを特徴とする請求項１又は２に記載の空調機における温度調節装置。
【請求項４】
前記筐体に前記フレーム部材を固定するための固定手段をさらに備えていることを特徴とする請求項１又は２に記載の空調機における温度調節装置。
【請求項５】
建造物の室内に設置され冷媒の気化熱によって生成した冷気を前記室内に供給する室内機と、前記建造物の室外に設置され前記冷媒の凝縮を行う室外機とを備えた空調機であって、
前記室外機は、一の側面に空気を吸い込むための吸気口と、前記一の側面とは異なる他の側面に前記室内から取り込んだ熱を含む空気を排出する排気口が形成された筐体を有しており、
前記吸気口に吸い込まれる空気の温度を調節する温度調節手段を備え、
前記温度調節手段は、無数の網目を有し前記吸気口と前記排気口のうち前記吸気口を覆う網状部材と、前記網状部材が取り付けられるフレーム部材と、を含むことを特徴とする空調機。
【考案の詳細な説明】
【技術分野】
【０００１】
本考案は、商業ビル等の建造物に設置される空調機における温度調節装置及び空調機に関するものである。
【背景技術】
【０００２】
商業ビルや民家等の建造物に備えられる空調機としては、室内に冷気を供給する室内機と、冷媒の凝縮を行う室外機を備えたものが一般的に用いられている。室外機は筐体内に熱交換器（凝縮器）を内蔵しており、室内機において冷気の生成のために気化させた高温の冷媒を熱交換器によって凝縮させる。凝縮された冷媒は所定温度まで冷やされた液体となって管路を介して室内機へ送られる。
【０００３】
室外機は、陽当たりの良い屋外に設置される場合が多く、特に夏季では太陽光が直射する炎天下に曝されがちである。このような状況下では、室外機の熱効率が低くなり、消費電力も高くなるという問題点があった。そこで従来、室外機の周囲に組み立てたフレームにネットを装着し、室外機の全体をネットで覆うようにした装置が提案されている（特許文献１を参照）。これによれば、室外機はネットで覆われた涼しい日陰の環境下にあるため、少ない消費電力で効率良く冷媒を凝縮・液化させることが期待できる。
【先行技術文献】
【特許文献】
【０００４】
【特許文献１】実用新案登録第３１７１９４５号
【考案の概要】
【考案が解決しようとする課題】
【０００５】
しかしながら、上記従来技術においては、ネットの装着態様に起因して次のような問題があった。すなわち、室外機は室内から取り出した熱を大気中に放出させる必要があるが、室外機は全体がネットによって覆われているため、放出された熱がネットの内側に溜まり易くなっていた。そのため、ネットに覆われた空間が高温となり、熱い空気が室外機の吸気口に回り込んでしまうことで、室外機の熱効率が低くなるとともに消費電力も高くなるという課題があった。
【０００６】
そこで本考案は、室外機から放出される熱の影響を受けることなく、熱効率を向上させて省電力化を図ることができる空調機における温度調節装置及び空調機を提供することを目的とする。
【課題を解決するための手段】
【０００７】
本考案の空調機における温度調節装置は、建造物の室内に設置され冷媒の気化熱によって生成した冷気を前記室内に供給する室内機と、前記建造物の室外に設置され前記冷媒の凝縮を行う室外機とを備え、前記室外機は、前記一の側面に空気を吸い込むための吸気口と、前記一の側面とは異なる他の側面に前記室内から取り込んだ熱を含む空気を排出する排気口が形成された筐体を有する空調装置の前記吸気口に吸い込まれる空気の温度を調節する前記空調装置における温度調節装置であって、無数の網目を有し前記吸気口と前記排気口のうち前記吸気口を覆う網状部材と、前記網状部材が取り付けられるフレーム部材と、を含む。
【０００８】
本考案の空調機は、建造物の室内に設置され冷媒の気化熱によって生成した冷気を前記室内に供給する室内機と、前記建造物の室外に設置され前記冷媒の凝縮を行う室外機とを備えた空調機であって、前記室外機は、一の側面に空気を吸い込むための吸気口と、前記一の側面とは異なる他の側面に前記室内から取り込んだ熱を含む空気を排出する排気口が形成された筐体を有しており、前記吸気口に吸い込まれる空気の温度を調節する温度調節手段を備え、前記温度調節手段は、無数の網目を有し前記吸気口と前記排気口のうち前記吸気口を覆う網状部材と、前記網状部材が取り付けられるフレーム部材と、を含む。
【考案の効果】
【０００９】
本考案によれば、室外機から放出される熱の影響を受けることなく、熱効率を向上させて省電力化を図ることができる。
【図面の簡単な説明】
【００１０】
【図１】本考案の実施の形態１における空調機を設置した建造物の側面図
【図２】本考案の実施の形態１における空調機の概略を示すブロック図
【図３】本考案の実施の形態１における空調機を構成する室外機の斜視図
【図４】（ａ）（ｂ）本考案の実施の形態１における空調機を構成する室外機及び空調機に用いられる温度調節装置の斜視図
【図５】本考案の実施の形態１における空調機を構成する室外機及び空調機に用いられる温度調節装置の（ａ）正面図（ｂ）側面図
【図６】本考案の実施の形態２における空調機を構成する室外機及び空調機に用いられる温度調節装置の斜視図
【考案を実施するための形態】
【００１１】
（実施の形態１）
まず図１を参照して、本考案の一実施の形態における空調機の全体構成について説明する。以下、一の水平方向をＸ方向、Ｘ方向と水平面内において直交する方向をＹ方向、ＸＹ平面に対して直交する方向をＺ方向と定義する。空調機１は、商業ビル等の建造物２の室内２ａの空気を調和するものであり、室内機３と室外機４を含んで構成される。室内機３と室外機４は、フロン等の冷媒が循環する配管５を介して接続されている。
【００１２】
図２は、空調機１の概略を示すブロック図である。ここでは、空調機１によって室内２ａを冷房する場合を例示する。室内機３は室内２ａに設置され、エバポレータ（蒸発器）６とファン７を含んで構成される。エバポレータ６は放熱用のフィンを有しており、配管５を介して室外機４から送られた低温低圧の液状の冷媒を蒸発させる。冷媒が蒸発により気化するとき、室内２ａから取り込まれた熱が冷媒に伝えられる。ファン７は、冷媒に熱が伝わることで低温になったエバポレータ６の近傍における空気を室内２ａに供給する（図１に示す矢印ａ）。熱を含んだ冷媒は、配管５を介して室外機４に送られる。
【００１３】
室外機４は室外に設置され、筐体８（図３）の内部にコンプレッサ９と、熱交換器（凝縮器）１０と、ファン１１と、膨張弁１２を含んで構成される。図３において、筐体８は平板状の支持ベース１３に下方から支持されている。コンプレッサ９は、配管５を介して室内機３から送られた熱を含んだ冷媒を圧縮する。圧縮された冷媒は、高温高圧の液体に変化する。熱交換器１０は放熱用のフィンを備えている。フィンは、ファン１１による送風によってその表面の熱が奪われることで、冷媒よりも低温の状態となっている。熱交換器１０は、圧縮された冷媒からフィンによって熱を奪って凝縮させる。膨張弁１２は、凝縮された冷媒を膨張させる。冷媒は、膨張の過程で生じる断熱冷却によって低温低圧の液体に変化する。低温低圧の液体となった冷媒は配管５を介して再び室内機３へ送られる。このように、空調機１は、建造物２の室内２ａに設置され冷媒の気化熱によって生成した冷気を室内２ａに供給する室内機３と、建造物２の室外に設置され冷媒の凝縮を行う室外機４とを備えている。
【００１４】
図３において、筐体８の一の側面Ａには、空気（外気）を室外機４に吸い込むための吸気口８ａが形成されている。また、一の側面Ａと反対側の他の側面Ｂには、室内２ａから取り出した熱を含む空気を排出する排気口８ｂが形成されている。吸気口８ａを介して筐体８の内部に吸い込まれた空気は（図５（ｂ）に示す矢印ｂ）、熱交換器１０を通過する。このとき、空気は熱交換により高温となる。熱を含んだ空気は、排気口８ｂを介して室外機４の外へ排出される（図５（ｂ）に示す矢印ｃ）。なお、排気口８ｂは、例えば筐体８の上面に形成されていてもよい。このように室外機４を構成する筐体８には、一の側面Ａに空気を吸い込むための吸気口８ａと、一の側面Ａとは異なる他の側面Ｂに室内２ａから取り込んだ熱を含む空気を排出する排気口８ｂが形成されている。
【００１５】
次に図４及び図５を参照して、空調機１における温度調節装置（温度調節手段）１４について説明する。温度調節装置１４は、吸気口８ａを通じて室外機４に取り込まれる空気の温度を調節するものであり、フレーム部材１５とネット１６を含んで構成されている。便宜上、図４（ａ）ではネット１６の図示を省略している。図４（ａ）において、フレーム部材１５は、支持ベース１３上に接地され、吸気口８ａが形成された側面ＡのＹ方向における両側外方にそれぞれ配置された略直方体の基部１５ａを有する。支持ベース１３とフレーム部材１５は、基部１５ａの上方からボルト１７を螺合させることで締結固定されている。すなわち、基部１５ａとボルト１７は、筐体８を下方から支持する支持ベース１３にフレーム部材１５を固定するための固定手段（第１の固定手段）として機能する。
【００１６】
個々の基部１５ａには、鉛直方向に伸び出た第１の伸出部１５ｂ、第２の伸出部１５ｃが所定間隔をあけて形成されている。第１の伸出部１５ｂと第２の伸出部１５ｃの上端は、筐体８の上面よりもさらに上方に位置している。第１の伸出部１５ｂは、筐体８の側面Ａよりも前方（図４（ａ））の位置から鉛直方向に伸び出ている。第２の伸出部１５ｃは、筐体８の側面Ａよりも後方の位置から鉛直方向に伸び出ている。したがって図５（ｂ）に示すように、吸気口８ａは、筐体８を側面視して第１の伸出部１５ｂと第２の伸出部１５ｃの間に位置している。
【００１７】
第１の伸出部１５ｂと第２の伸出部１５ｃのそれぞれの上端にかけては、略水平方向に伸び出た第１の架設部１５ｄが架設されている。第１の伸出部１５ｂと第１の架設部１５ｄの結合部位はアール加工が施されている。個々の第２の伸出部１５ｃの上端には、筐体８の上方に亘って略水平方向に伸び出た第２の架設部１５ｅが架設されている。また、個々の第１の伸出部１５ｂの間には、高さ方向が異なる複数（ここでは２つ）の位置から略水平方向に伸び出た棒状の第３の架設部１５ｆ、第４の架設部１５ｇが架設されている。フレーム部材１５は、上述した基部１５ａ、第１の伸出部１５ｂ、第２の伸出部１５ｃ、第１の架設部１５ｄ、第２の架設部１５ｅ、第３の架設部１５ｆ、第４の架設部１５ｇを含んで構成される。フレーム部材１５は、例えばＳＵＳ等の金属で成形される。
【００１８】
図４（ｂ）、図５（ａ），（ｂ）において、ネット１６は、例えば寒冷紗のような通気性を有する暗色の糸を網状に織り込んで形成され、吸気口８ａを覆うようにしてフレーム部材１５の表面から取り付けられている。ネット１６は、少なくとも排気口８ｂを覆わないようにフレーム部材１５に取り付ける必要がある。ネット１６の具体的な取り付けは、例えば網目の内寸よりも大きいサイズの頭部を有する釘等の固定具（図示省略）をフレーム部材１５の所定部位に打ち付けることによってなされる。このように、ネット１６は、無数の網目を有し、吸気口８ａと排気口８ｂのうち吸気口８ａを覆う網状部材であり、フレーム部材１５に取り付けられる。ネット１６は、網目が無数に形成された合成樹脂であってもよい。要は、無数の網目を有し、通気性が担保され、吸気口８ａに対する太陽光の直接入射を抑制可能な網状の部材であればよい。
【００１９】
フレーム部材１５にネット１６を取り付けることで、吸気口８ａは筐体８の一の側面Ａと、ネット１６によって囲まれた空間Ｔ（図５（ｂ））に対して開口された状態となる。これにより、空気（外気）は空間Ｔを介して吸気口８ａに吸い込まれる。なお、ネット１６は、吸気口８ａからの吸引力により筐体８側へ吸い寄せられるが、第３の架設部１５ｆ、第４の架設部１５ｇによって筐体８側への移動が規制される。これにより、ネット１６と吸気口８ａの干渉が防止され、空間Ｔは維持される。すなわちフレーム部材１５は、吸気口８ａが形成された筐体８の一の側面Ａとネット１６との間に所定の空間Ｔを形成するための空間形成手段として機能する。空間Ｔが担保されるのであればフレーム部材１５の構造は任意でよく、例えば第３の架設部１５ｆと第４の架設部１５ｇは省略してもよい。
【００２０】
上述したように、吸気口８ａをネット１６で覆い、筐体８の一の側面Ａとネット１６によって囲まれた空間Ｔに吸気口８ａを開口させることで、次のような効果を得ることができる。すなわち、夏季においては、空間Ｔは日陰の環境下にあり、太陽Ｓ（図１）に曝される炎天下の外温度よりも低温の涼しい温度下にある。したがって、吸気口８ａからは低温の空気が吸い込まれるので、室外機４はより少ない消費電力で熱効率良く冷媒を凝縮し、さらに液化させることができる。
【００２１】
また、冬季においては、空調機１は室内２ａを暖房する場合が殆どであるが、室外機４は外気から熱を取り込む必要があるため、吸気口８ａから吸い込まれる空気は暖かい方が望ましい。ここで、空間Ｔは一定の気密性を有し、ネット１６の網目を通じて太陽光が僅かながら空間Ｔに入射し得る。また、ネット１６は風防の役割を果たすので空間Ｔに冷風が入り込みづらく、さらにネット１６は太陽光を吸収して幾分温められる。すなわち、冬季において、空間Ｔは外温度よりも暖かくなる環境下にある。したがって、吸気口８ａからは比較的暖かい空気が吸い込まれるので、室外機４はより少ない消費電力で熱効率良く冷媒を蒸発させることができる。
【００２２】
このように、フレーム部材１５に取り付けられたネット１６で吸気口８ａを覆うことで、吸気口８ａに吸い込まれる空気の温度を調節できるようになっている。すなわち、フレーム部材１５とネット１６は、吸気口８ａに吸い込まれる空気の温度を調節する温度調節装置１４（温度調節手段）を構成する。
【００２３】
以上説明したように、実施の形態１における空調機１及び温度調節装置１４によれば、熱効率を向上させて省電力化を図ることができる。また、ネット１６は筐体８の排気口８ｂを覆っていないので、この排気口８ｂから放出される熱を含む空気が吸気口８ａに吸い込まれる事態を防止することができる。
【００２４】
（実施の形態２）
次に図６を参照して、実施の形態２について説明する。実施の形態１で説明した部材と共通するものについては、同一の符号を付し、その説明を省略する。実施の形態２は、フレーム部材１５Ａを室外機４の筐体８に直接取り付ける点で実施の形態１と相違する。便宜上、図６ではネット１６の図示を省略している。
【００２５】
フレーム部材１５Ａは、実施の形態１における基部１５ａを省略した構成となっている。個々の第２の伸出部１５ｃの所定の位置には、水平方向に開口した開口部１５ｃ１がそれぞれ形成されている。また、第２の架設部１５ｅの所定の位置には、上下方向に開口した複数（ここでは２つ）の開口部１５ｅ１がそれぞれ形成されている。これらの開口部１５ｃ１，１５ｅ１を介してボルト１７Ａを筐体８に螺合させることで、フレーム部材１５Ａは筐体８に対して固定される。すなわち、第２の伸出部１５ｃ、第２の架設部１５ｅ、ボルト１７Ａは、筐体８にフレーム部材１５Ａを固定するための固定手段（第２の固定手段）として機能する。なお、筐体８の表面にボルト１７Ａを押圧させることで、筐体８にフレーム部材１５Ａを固定させるようにしてもよい。
【００２６】
本考案である空調機１における温度調節装置１４及び空調機１はこれまで説明した実施の形態に限定されず、考案の趣旨を逸脱しない範囲で設計変更してもよい。例えば、筐体８を覆うようにしてカーテンレールをフレーム部材に固定し、カーテンレールにネットを装着して吸気口を覆うようにしてもよい。また、本明細書における空調機とは、室外機を用いて冷媒の圧縮、放熱、膨張を繰り返し行うもの、例えば、冷凍機、水冷機に加え、水を冷媒とするガス式空調設備、等を含む概念である。
【産業上の利用可能性】
【００２７】
本考案によれば、室外機から放出される熱の影響を受けることなく、熱効率を向上させて省電力化を図ることができ、空調機の製造分野で特に有用である。
【符号の説明】
【００２８】
１  空調機
２  建造物
２ａ  室内
３  室内機
４  室外機
８  筐体
８ａ  吸気口
８ｂ  排気口
１３  支持ベース
１４  温度調節装置
１５  フレーム部材
１６  ネット
Ｔ  空間
【図１】
0003201141.tif 000003
【図２】
0003201141.tif 000004
【図３】
0003201141.tif 000005
【図４】
0003201141.tif 000006
【図５】
0003201141.tif 000007
【図６】
0003201141.tif 000008